(57)【特許請求の範囲】
【請求項１】
移動局と通信網との間で利用者データを通信する通信システムであって、
前記通信網と利用者データを通信する第１通信ノードと、
前記移動局と前記利用者データを通信する第２通信ノードと、
レート・アダプタと、
前記レート・アダプタに前記第１通信ノードを接続する第１通信リンクと、
前記レート・アダプタに前記第２通信ノードを接続する第２通信リンクと、
第１同期データを含む第１フレームであって、前記第２通信ノードと前記レート・アダプタとの間に通信を確立しかつ同期させるために前記第２通信リンクを通じて転送可能である前記第１フレームと、
前記第２通信ノードと前記レート・アダプタとの間に前記利用者データを転送するために前記第２通信リンクを通じて転送可能な第２フレームであって、前記第１フレームにおける前記第１同期データの一部が追加利用者データで以て置き換えられていることにより前記第１フレームにおいて可能であるよりも大きな利用者ペイロードを有し、前記利用者データが追加利用者データを含む、前記第２フレームと、
を具備する通信システム。
【請求項２】
請求項１記載のシステムにおいて、前記第１通信ノードが前記ＰＬＭＮ内の網間接続機能を含む、前記システム。
【請求項３】
請求項１記載のシステムにおいて、前記第２通信ノードが前記移動局と通信する基地トランシーバ局を含む、前記システム。
【請求項４】
請求項１記載のシステムにおいて、前記第１通信リンクがグローバル・システム・フォー・モービル通信規格に従うａインタフェースを含む、前記システム。
【請求項５】
請求項１記載のシステムにおいて、前記第２通信リンクがグローバル・システム・フォー・モービル通信規格に従うａ−Ｂｉｓインタフェースを含む、前記システム。
【請求項６】
請求項１記載のシステムにおいて、前記レート・アダプタがトランスコーダ／レート・アダプタ装置を含む、前記システム。
【請求項７】
請求項１記載のシステムにおいて、前記第２フレームが１４．４Ｋビット／秒以上の転送率で前記利用者データを転送する能力を有する、前記システム。
【請求項８】
請求項１記載のシステムにおいて、前記第２フレームは該第２フレームが１４．４Ｋビット／秒以上の利用者データ転送率で転送することを表示する表示を更に含む、前記システム。
【請求項９】
請求項１記載のシステムにおいて、前記第２フレームが複数のワードを更に含み、前記複数のワードにおいて第１のワードが第２同期データを含み、かつ第２のワードの第１ビットが前記第２同期データを含み、かつ前記複数のワードのうちの残りのワードが前記利用者データを含む、前記システム。
【請求項１０】
請求項１記載のシステムにおいて、前記レート・アダプタのうちの選択された１つと前記第２通信ノードとが前記第２フレーム内のフレーム・スリップを検出する探索ウィンドウを更に含む、前記システム。
【発明の詳細な説明】
発明の背景
発明の技術分野
本発明は、電気通信網、特に、公衆陸上移動通信網内でＡ−Ｂｉｓインタフェース及びＡインタフェースを通じて利用者データを転送することに関する。
関連技術の説明
グローバル・システム・フォー・モービル（Ｇｌｏｂａｌ  Ｓｙｓｔｅｍ  ｆｏｒ  Ｍｏｂｉｌｅ；  ＧＳＭ）通信標準のような移動電気通信システムの絶え間ない発展に伴い、移動加入者及び関連移動端末は、慣例の音声データ転送率より遥かに高速のデータ転送率で現存する移動通信網を通じて非音声利用者データを通信することができる。このようなデータ・サービスは、ＩＳＤＮ接続、ファクシミリ伝送、モデム接続、及びＧＳＭ規格（ＧＳＭ  ｓｐｅｃｉｆｉｃａｔｉｏｎｓ）中に述べられているその他の指定ベアラ・サービス（ｂｅａｒｅｒ  ｓｅｒｖｉｃｅ）を含む。結果として、このような利用者データの１つの電気通信網から他の関連電気通信網への伝送適応及びプロトコル適応を可能にするために、網間接続機能（Ｉｎｔｅｒｗｏｒｋｉｎｇ  Ｆｕｎｃｔｉｏｎ；  ＩＷＦ）として知られた電気通信モジュールが開発された。したがって、ＩＷＦは、パケット交換公衆データ網（Ｐａｃｋｅｔ−Ｓｗｉｔｃｈｅｄ  Ｐｕｂｌｉｃ  Ｄａｔａ  Ｎｅｔｗｏｒｋｓ；ＰＳＰＤＮ）又は回線交換公衆データ網（Ｃｉｒｃｕｉｔ−Ｓｗｉｔｃｈｅｄ  Ｐｕｂｌｉｃ  Ｄａｔａ  Ｎｅｔｗｏｒｋｓ；  ＣＳＰＤＮ）のような網との相互接続を可能にする。更に、ＩＷＦは、その接続網が単に公衆加入電話網（Ｐｕｂｌｉｃ  Ｓｗｉｔｃｈｅｄ  Ｔｅｌｅｐｈｏｎｅ  Ｎｅｔｗｏｒｋ；  ＰＳＴＮ）又は総合サービス・ディジタル網（Ｉｎｔｅｇｒａｔｅｄ  Ｓｅｒｖｉｃｅ  Ｄｉｇｉｔａｌ  Ｎｅｔｗｏｒｋ；  ＩＳＤＮ）であるときにもまた使用される。このようなＩＷＦは、移動通信交換センタ（ｍｏｂｉｌｅ  ｓｗｉｔｃｈｉｎｇ  ｃｅｎｔｅｒ；  ＭＳＣ）機能と一緒に実施されることもあり又は分離機器によって遂行されることもある。ＩＷＦが第１データ転送率で伝送される第１プロトコルを使用してこのようなデータを通信すると云う理由で、及び特定移動局を受け持つ基地トランシーバ局（ｂａｓｅ  ｔｒａｎｓｃｅｉｖｅｒ  ｓｔａｔｉｏｎ；  ＢＴＳ）が第２データ転送率で伝送される第２プロトコルを使用して同じデータを通信すると云う理由で、トランスコーダ／レート・アダプタ装置（Ｔｒａｎｓｃｏｄｅｒ／Ｒａｔｅ  Ａｄａｐｔｏｒ  Ｕｎｉｔ；  ＴＲＡＵ）として知られた他の装置がＩＷＦとＢＴＳとの間に置かれる。ＩＷＦと対応するＴＲＡＵとの間に確立された第１通信リンクはＡインタフェースとして知られ、及びＴＲＡＵと受け持ちＢＴＳとの間に確立された第２通信リンクはＡ−Ｂｉｓインタフェースとして知られている。したがって、相互接続ＴＲＡＵは、２つの非互換性電気通信リンク間のデータの通信を容易にするように機能する。
国際電信電話諮問委員会（Ｉｎｔｅｒｎａｔｉｏｎａｌ  Ｔｅｌｅｇｒａｐｈ  ａｎｄ  Ｔｅｌｅｐｈｏｎｅ  Ｃｏｎｓｕｌｔａｔｉｖｅ  Ｃｏｍｍｉｔｔｅｅ；  ＣＣＩＴＴ）規格によれば、例えば、ＣＣＩＴＴ  Ｖ１１０規格に述べられているように書式付けられたデータ・フレームが９．６Ｋビット／秒の利用者データ転送率で以てＡインタフェースを通じて通信される。同様に、ＧＳＭ０８．６０規格に述べられているように書式付けられたデータ・フレームが１３．５Ｋビット／秒利用者データ転送率で以てＡ−Ｂｉｓインタフェースを通じて通信される。したがって、相互接続ＴＲＡＵは、接続ＡインタフェースとＡ−Ｂｉｓインタフェースとの間のデータ変換及びデータ適応を遂行する。
移動電気通信網内の高能力データ通信の増大する需要に伴って、移動加入者及び関連アップリケーションが受け持ち網からの１４．４Ｋビット／秒利用者データ伝送速度を要請しつつある。しかしながら、受け持ちＡインタフェースが９．６Ｋビット／秒利用者データしか転送する能力を有さず、かつ対応するＡ−Ｂｉｓインタフェースが１３．５Ｋビット／秒利用者データしか転送する能力を有さないから、移動端末との高需要１４．４Ｋビット／秒データ接続は、慣例的には達成可能でない。
いくつもの解決が上掲のデータ・ペイロード問題を解決するために導入された。このような１つの解決は、受け持ちＢＴＳとＩＷＦとの間に１４．４Ｋビット／秒データ・ペイロードを通信するために「二重ＴＲＡＵ」フレームを使用することである。ＧＳＭ０８．６０規格に従って書式付けられた２つの連続ＴＲＡＵフレームがこれらのフーレム中に１６Ｋビット／秒を完遂しかつ１４．４Ｋビット／秒利用者データ・ペイロードを含むように使用される。各ＴＲＡＵフレームは２０ミリ秒の持続時間を有するから、二重ＴＲＡＵフレームは４０ミリ秒の持続時間で以て伝送される。
しかしながら、受け持ちＢＴＳ内に在駐する、チャネル・コーディング・ブロックのような、全ての適用可能モジュールが２０ミリ秒データ・フレームに基づいているから、４０ミリ秒フレームを導入することによって、それらの適用可能モジュールは、ＴＲＡＵから受信した入データをバッファしかつ移動端末から受信した出データの伝送を遅延させるように大幅に修正されかつ変更される必要がある。更に、ＧＳＭ規格はＡ−Ｂｉｓインタフェースを通じて２０ミリ秒フレームを通信するように命じているから、異なるフレーム持続時間を導入することによって、受け持ち移動電気通信網内に全体的非互換性問題を生じる。
したがって、受け持ち移動電気通信網を通じて１４．４Ｋビット／秒利用者データ・ペイロードを転送する一方、Ａ−Ｂｉｓインタフェース内で２０ミリ秒フレーム持続時間を維持する機構が必要とされる。
発明の概要
本発明は、同期ビットを減少させた修正ＧＳＭ０８．６０に基づくデータ・フレームを使用して網間接続機能（ＩＷＦ）ノードと受け持ち基地トランシーバ局（ＴＢＳ）との間に１４．４Ｋビット／秒利用者データ・ペイロードを転送する方法及び装置を開示する。まず、１３．５Ｋビット／秒利用者データを転送する能力を有する２０ミリ秒データ・フレームが、トランスコーダ／レート・アダプタ装置（ＴＲＡＵ）と受け持ち基地トランシーバ局（ＴＢＳ）との間で通信リンクを同期させるために、使用される。伝送データ・フレームは複数のデータ語を含み、各データ語が１６データ・ビットを更に含む。伝送データ・フレームの最初の語は、初期同期データを表すために１６個の零で以て初期化される。これらの語のうちの残りのものの最初のビットは、追加同期データを表すために１の値で以て更に初期化される。ＧＳＭ０８．６０書式付きデータ・フレームをまず伝送することによって、同期が遂行されかつ同上間に通信リンクが確立される。その後、修正ＧＳＭ０８．６０データ・フレームが、１４．４Ｋビット／秒利用者データ・ペイロードを転送するために、受け持ちＢＴＳとＴＲＡＵとの間に伝送される。修正フレームでは、第３語からの第１ビットであってその後従来のＧＳＭ０８．０フレーム内の追加同期データを表す第３語からの第１ビットが取り去られ、代わりに、追加利用者データを転送するために使用される。それゆえ、修正ＧＳＭ０８．６０フレームは、１４．４Ｋビット／秒利用者データ転送率を容易にする能力を有する。このような修正ＧＳＭ０８．６０データ・フレームは、Ａインタフェース及びＡ−Ｂｉｓインタフェースを通じて１４．４Ｋビット／秒データ・ペイロード転送率を達成するのと類似の方法で、受け持ちＢＴＳからＩＷＦへ、一貫して変更されないで転送される。
【図面の簡単な説明】
本発明の方法及び装置のより完全な理解が、次の詳細な説明を添付図面と関連させて参照することにより得られる。これらの図面において、
図１は接続電気通信網から移動局へ利用者データを転送するＡ−Ｂｉｓインタフェース及びＡインタフェースを含む通信リンクのブロック図である。
図２はＧＳＭ０８．６０規格に従って書式付けられたデータ・フレームのブロック図である。
図３は本発明の教示に従って書式付けられた修正データ・フレームのブロック図である。
図４は受け持ち基地トランシーバ局（ＢＴＳ）と接続トランスコーダ／レート・アダプタ装置（ＴＲＡＵ）との間の利用者データの同期及び転送を示す信号順番線図である。
図５はフレーム・スリッピングを検出するビット・ウィンドウのブロック図である。
図６は本発明の教示に従って受け持ち網間接続機能（ＩＷＦ）と受け持ちＢＴＳとの間に確立された通信リンクのブロック図である。
図面の詳細な説明
図１は、公衆交換電話網（ＰＳＴＮ）２０のような接続電気通信網から移動局６０へ利用者データを転送する通信リンクのブロック図である。公衆陸上移動通信網（Ｐｕｂｌｉｃ  Ｌａｎｄ  Ｍｏｂｉｌｅ  Ｎｅｔｗｏｒｋ；  ＰＬＭＮ）内の利用者アップリケーションの更に発展に伴って、いくつもの高能力非音声データ・サービスが導入された。このようなサービスには、ＴＳ  ＧＳＭ０２．０２及びＴＳ  ＧＭＳ０２．０３に定義された全ての回線交換データ・サービスばかりでなく、ファクシミリ伝送サービス、高速回線交換データ（Ｈｉｇｈ  Ｓｐｅｅｄ  Ｃｉｒｃｕｉｔ  Ｓｗｉｃｈｅｄ  Ｄａｔａ；  ＨＳＣＳＤ）サービス、高速モデム接続サービス、及びジェネラル・パケット無線サービス（Ｇｅｎｅｒａｌ  Ｐａｃｋｅｔ  Ｒａｄｉｏ  Ｓｅｒｖｉｃｅｓ；  ＧＰＲＳ）を含む他のＧＳＭ相２＋（ＧＳＭ  ｐｈａｓｅ  ２＋）サービスがある。結果として、網間接続機能（ＩＷＦ）１０として知られた電気通信モジュールが、接続ＰＳＴＮ２０のような１つの電気通信網から受け持ちＰＬＭＮ３０への伝送適応及びプロトコル適応を可能にするように開発された。ＩＷＦ１０は、（図１に示したように）指定された地理的エリアを受け持つ特定移動通信交換センタ（ＭＳＣ）と共設されることも、又は分離電気通信ノードとして実施されることもある。次いで、ＩＷＦ１０は、トランスコーダ／レート・アダプタ装置（ＴＲＡＵ）４０に接続される。次いで、ＴＲＡＵ４０は、いくつもの基地トランシーバ局（ＢＴＳ、図１には１つだけ示した）５０に更に接続され、これらのＢＴＳは受け持ちＭＳＣカバレージ・エリア内に位置検出された移動局６０に対して無線カバレージを用意する。
ＩＷＦ１０とＴＲＡＵ４０との間に確立された通信リンク７０は、グローバル・システム・フォー・モービル（ＧＳＭ）システム内で「Ａインタフェース」として知られ、かつ同上間で利用者データを通信するために国際電信電話諮問委員会（ＣＣＩＴＴ）Ｖ１１０書式付きフレームを使用する。Ａインタフェース７０は、９．６Ｋビット／秒利用者データ・ペイロードを搬送する５ミリ秒ＣＣＩＴＴ  Ｖ１１０フレームを通信する間にチャネル当たり１６Ｋビット／秒データを転送する能力を有する。残りの帯域幅（１６Ｋビット／秒−９．６Ｋビット／秒）は、受け持ちＩＷＦ１０とＴＲＡＵ４０との間の９．６Ｋビット／秒利用者データ・ペイロードの通信を容易にするために同期データ及び制御データ転送に利用される。ＴＲＡＵ４０と受け持ちＢＴＳ５０との間に確立された通信リンク８０は、ＧＳＭ規格内で「Ａ−Ｂｉｓ」インタフェースとして知られている。ＴＲＡＵ４０がＢＴＳ５０から遠隔にあるときＢＴＳ５０とＴＲＡＵ４０との間の音声フレーム及びデータ・フレームの書式付けを指定するＧＳＭ０８．６０規格に従って、Ａ−Ｂｉｓインタフェース８０は、ＧＳＭ０８．６０書式付き２０ミリ秒データ・フレームを転送する間、１６Ｋビット／秒データ転送率を与える。ＧＳＭ０８．６０規格に従って書式付けられた「ＴＲＡＵフレーム」を使用することによって、データは、ＢＴＳ５０内のチャネル・コーデック装置（Ｃｈａｎｎｅｌ  Ｃｏｄｅｃ  Ｕｎｉｔ；  ＣＣＵ）５５とＴＲＡＵ４０との間で転送される。これらのフレーム内に、音声／データ、同期パターン、及びＴＲＡＵ関連制御データが含まれかつ伝送される。結果として、１６Ｋビット／秒データのうち、１３．５Ｋビット／秒だけが利用者データを転送するために利用され、かつ残りの帯域幅は同上間に同期データ及び制御データを通信するために利用される。ＴＲＡＵ４０は、ＩＷＦ１０とＢＴＳ５０との間の利用者データの通信を容易にするために必要なコード変換及び速度適応（ｒａｔｅ  ａｄａｐｔａｔｉｏｎ）を遂行する。
高能力データ・アップリケーションの増大する需要に伴って、移動加入者及び関連移動端末が受け持ち移動網からの１４．４Ｋビット／秒利用者伝送速度を要請しつつある。しかしながら、上に示したように、Ａインタフェース７０は９．６Ｋビット／秒利用者データ・ペイロードしか転送する能力を有さず、かつＡ−Ｂｉｓインタフェース８０は１３．５Ｋビット／秒利用者データ・ペイロードしか転送する能力を有さないから、要請される高能力データ伝送速度は、現存するプロトコルを使用しては達成可能でない。
図２は、Ａ−Ｂｉｓインタフェースを通じて利用者データを転送するために利用されかつＧＳＭ０８．６０規格に従って書式付けられたデータ・フレームを示す。各データ・フレーム１００は３２０データ・ビットから成り、これらのビットはいくつものデータ語に組織される。それで、各データ語は、１６データ・ビットから成る。したがって、データ語当たり１６ビット、かつデータ・フレーム当たり２０語があり、合計３２０ビットに相当する。伝送データ・フレームの同期を可能にするために、各データ・フレームの最初の語が零で以て初期化され、かつ各後続語の最初のビットが１の値で以て初期化される。結果として、１６個の零１１０が各データ・フレーム１００の最初の語に置かれ、これに続く１９個の１  １２０が各後続語当たり１つずつビット位置番号１に置かれる。第２語内の残りの１５ビットＣ１〜Ｃ１５は、必要な制御データ１３０を転送するために利用される。それで、データ・フレームの残り（データ・セクタ１４０）が利用者データを転送するために利用可能である。３２０ビットのうち５０ビットが同期データ及び制御データ用に利用されるから、２７０ビットだけがＡ−Ｂｉｓインタフェースを通じて利用者データを転送するためにフレーム当たり残っている。ＧＳＭ０８．６０書式付きフレーム用フレーム・サイクルは２０ミリ秒であるから、５０のこのようなフレームを毎秒転送することができ、その結果、Ａ−Ｂｉｓインタフェースを通じて１３．５Ｋビット／秒（２７０×５０）利用者データ・ペイロード転送率を生じる。
図３は、本発明の教示に従って書式付けられた修正データ・フレーム１５０のブロック図である。フレーム寸法又はフレーム持続時間、又は総合伝送速度を変更しないで利用者ペイロードを増加するために、現存するＧＳＭ０８．６０に基づくデータ・フレームが追加利用者データを転送するように修正される。各データ・フレーム１５０の第１語１１０が同期データを表すために１６個の零で以て、依然、初期化される。各データ・フレーム内の第２語の最初のビット１６０が１の値で以て更に初期化される。第２語内の残りのビットＣ１〜Ｃ１５  １３０が慣例の方法で通信制御データに利用される。それで、データ・セクタ１７０を含む残りの１５語（すなわち、語３〜２０のビット１〜１６）が本発明の教示に従ってＡ−Ｂｉｓインタフェースを通じて利用者データを転送するために利用される。各々１６ビットの１８語は２８８ビットを含むから、５０のこのようなフレームが１４．４Ｋビット／秒手用者データ・ペイロード転送率に相当する。もしより大きいデータ転送率が更に必要とされるならば、制御データＣ１〜Ｃ１５  １３０内の予備ビットの或るいくつかを追加利用者データを転送するために更に利用することができる。制御ビットの全てのうちの或るいくつかを除去することによって、１５．５Ｋビット／秒までの利用者データ転送率を達成することができる。
図４は、受け持ち基地トランシーバ局（ＢＴＳ）５０ａ〜５０ｂと接続トランスコーダ／レート・アダプタ装置（ＴＲＡＵ）４０との間の利用者データの同期及び転送を示す信号順番線図である。基地局コントローラ（図４に示したＢＳＣ）からのチャネル起動リクエストに応答して、第１ＢＴＳ５０ａがリクエストしているＴＲＡＵ４０へ同期フレーム２００を伝送する。１４．４Ｋビット／秒データ・チャネル・デコーディングに対する長いインタリービング深さに因り、初期同期手順中は伝送するのに利用可能ななんら利用者データもないであろう。結果として、伝送同期フレーム２００は、なんらの利用者データも含まず、通信リンクを同期させるためにかつ確立するために単に伝送される。したがって、初期同期フレームで以て１４．４Ｋビット／秒利用者ペイロードを転送する必要がないので、伝送ＴＲＡＵフレーム２００が図２で充分に説明したように標準ＧＳ０８．６０規格に従って書式付けられる。このようなビット・パターンは、偽同期が、Ａ−Ｂｉｓインタフェースのような、スタティック・パルス・コード変調（ｓｔａｔｉｃ  ｐｕｌｓｅ  ｃｏｄｅ  ｍｏｄｕｌａｔｉｏｎ；  ＰＣＭ）リンク上に起こらないことを保証することになる。次いで、ＴＲＡＵ４０が入ビット・ストリームを走査し、所定同期ビット・パターンの存在について毎ビット及びその隣接ビットを試験する。もし所定同期ビット・パターンがＴＲＡＵ４０によって検出されるならば、肯定応答信号２１０が第１ＢＴＳ４０ａへ返送される。そこで、ＴＲＡＵ４０と第１ＢＴＳ５０ａとが互いに「同期して」おり、かつ利用者データ通信が動作可能にされる。したがって、初期同期手順の後、ＴＲＡＵ５４０及び第１ＢＴＳ５０ａは、同期フレームの位相を既に発見しておりかつデータ通信中その位相を監視することを開始することになる。データ通信中の後続データ・フレームのこのような監視のために、「データ・フレーム（Ｄａｔａ  Ｆｒａｍｅ）と呼ばれ、かつ図３で充分に説明した修正ＧＳＭ０８．６０データ・フレームが本発明の教示に従って使用される。上に説明したように、ＴＲＡＵフレーム１５０内の同期ビットの或るいくつかは、除去されかつ追加利用者データを伝送するために利用される。更にまた、伝送データ・フレームが修正ＧＳＭ０８．６０規格に従って書式付けられていることを表示するために制御データの１つ内に表示（ｉｎｄｉｃａｔｉｏｎ）が置かれる。したがって、データ・フレーム２２０は、１４．４Ｋビット／秒利用者データ・ペイロードで以て第１ＢＴＳ５０ａとＴＲＡＵ４０との間に転送される一方、初期同期フレーム２００によって確立されたのと同じフレーム同期位置を使用する。同期データ・フレーム（修正ＧＳＭ０８．６０に基づくデータ・フレーム）２２０のみが伝送されるこの定常状態条件では、Ａ−Ｂｉｓインタフェースを通じてフレームスリップ（ｆｒａｍｅ−ｓｌｉｐ）をハンドルする必要がある。その影響は、２ビットをこのようなフレームスリップ中に置き誤ることである。このような置き誤りは、データ・シフティング及び他の関連伝送誤りを防止するために、直ちに検出しかつ訂正しなければならない。図５は、フレームスリップを検出するためのビット・ウ��ンドウを示す。２１ビットの広い探索ウィンドウ２５０が通信されるデータ・フレーム内の期待同期パターン位置（１６個の零に１個の１が続く）に置かれる。２ビットの置き誤りはデータ・フレームの前端２６０又は後端２７０のどちらで起こることになるから、各同期パターンの前端で又は後端で追加２ビットを走査することによって、このようなフレームスリップを位置検出することができ、かつ、それにしたがって、相当する同期位置を再調整することができる。もっと酷しい擾乱に因って、もしフレームを探索ウィンドウ２５０内で再整列させることができないならば、フレーム位置を再同期させるために初期同期手順を再起動する。例証として、もしＢＴＳ５０ａが同期位置を喪失するならば、このＢＴＳは他の同期フレーム２００を送信しかつ図４で上に説明した初期同期手順をトリガすることになる。他方、もしＴＲＡＵ４０が同期位置を喪失するならば、このＴＲＡＵはエンハンスト・フル・レート音声（Ｅｎｈａｎｃｅｄ  Ｆｕｌｌ  Ｒａｔｅ  Ｓｐｅｅｃｈ）対してＴＳ  ＧＳＭ０８．６０に定義されたアップリンク・フレーム指示誤り（Ｕｐｌｉｎｋ  Ｆｒａｍｉｎｇ  Ｅｒｒｏｒ；  ＵＦＥ）ビットを用いて帯域内周波信号（ｉｎｂａｎｄ  ｓｉｇｎａｌｉｎｇ）を通信することによって初期同期手順を直接トリガすることになる。次いで、ＢＴＳ５０はＴＲＡＵ４０が同期位置を喪失したことを認識し、かつ図４に充分に説明した初期同期手順を再開始するために他の同期フレーム２００が同様に伝送される。
関連移動局が第１ＢＴＳ５０ａのカバレージ・エリアを出て第２ＢＴＳ５０ｂのカバレージ・エリア内へ走行している場合に、第１ＢＴＳ５０ａは、その接続を新たに受け持つ第２ＢＴＳ５０ｂにハンドオーバする必要がある。結果として、このような基地局間コントローラ（ｉｎｔｒａ  ｂａｓｅ  ｓｔａｔｉｏｎ  ｃｏｎｔｒｏｌｌｅｒ；  ｉｎｔｒａ  ＢＳＣ）ハンドオーバ（第１ＢＴＳ５０ａ及び第２ＢＴＳ５０ｂが同じＢＳＣと関連しており、かつ、立ち代わって、このようなハンドオーバがｉｎｔｒａ  ＢＳＣハンドオーバと標識される）を検出するために、同期位置をまた監視しなければならない。図４に帰って参照し、移動局が第２ＴＢＳ５０ｂのカバレージ・エリア内へ走行しておりかつ新ＢＴＳ５０ｂを通して移動サービスを受ける必要があると仮定する。第２ＢＴＳ５０ｂは、立ち代わって、ＧＳＭ０８．６０規格に従って書式付けられた新同期フレーム２４０を関連ＴＲＡＵ４０へ伝送する。伝送同期フレーム２４０は１６個の零とこれに続く１９個の１を含むから、このフレームは、同期パターンとして第１ＢＴＳ５０ａによって伝送された１６個の零の１つへの「ヒット」を保証する。結果として、ＴＲＡＵ４０がこのようなヒットを検出しかつｉｎｔｒａ−ＢＳＣハンドオーバが起こったことを認識する。これに応答して、ＴＲＡＵ４０がその位置を第２ＢＴＳ５０ｂと再同期し、かつ更に肯定応答信号２５０を第２ＢＴＳ５０ｂへ返送する。上の状況に対するただ例外は、第２ＢＴＳ５０ｂによって指定された新フレーム位置がＢＴＳ５０ａと関連ＴＲＡＵ４０との間に既に確立された同期位置と一致する場合である。このような一致は、図５で更に説明した２ビット・フレーム・スリップを更に含む。しかしながら、そのシナリオでは、第２ＢＴＳ５０ｂと関連ＴＲＡＵ４０との間に、フレーム・スリップに必要とされた再調節以外に、再同期は必要とされない。その後、１４．４Ｋビット／秒利用者データ伝送が、上に充分に説明したデータ・フレーム（修正ＧＳＭ０８．６０フレーム）２２０を使用して、容易にされる。
図６は、本発明の教示に従って受け持ちＩＷＦ１０と受け持ちＢＴＳ５０との間に確立された通信リンクを示す。Ａインタフェース７０及びＡ−Ｂｉｓインタフェース８０を通じて利用者データを転送するために２つの異なる型式のデータ・フレーム及びフレーム・プロトコルを利用する代わりに、上に充分に説明したデータ・フレーム（修正ＧＳＭ０８．６０データ・フレーム）１５０がＩＷＦ−ＢＴＳ接続３０を横断して変更されないで転送される。したがって、上に充分に説明したようにデータ通信が受け持ちＢＴＳ５０とＴＲＡＵ４０との間に確立された後、同様の方法で、通信リンク７０がＴＲＡＵ４０とＩＷＦ１０との間に確立される。したがって、ＧＳＭ０８．６０規格に述べられたように書式付けられた初期同期フレーム１００がＴＲＡＵ４０とＩＷＦ１０との間のフレーム接続を同期させるために伝送される。その後、本発明の教示に従って書式付けられかつ接続Ａ−Ｂｉｓインタフェースを通じて受信されたデータ・フレーム１５０が、１４．４Ｋビット／秒利用者データ・ペイロードをＩＷＦ１０へ転送するために、通信される。結果として、Ａインタフェース７０とＡ−Ｂｉｓインタフェース８０との間にデータ転送率又はフレーム・プロトコルの非互換性は存在しない。したがって、ＴＲＡＵ４０はレート・アダプタとして機能する必要はもはやなく、かつ２つの通信リンクを相互接続するデータ遅延装置として単に機能する。
したがって、現存するＧＳＭに基づくデータ・フレームを修正することによって、２０ミリ秒フレーム持続時間かつ１６Ｋビット／秒総合伝送速度が維持されて、受け持ち移動電気通信網内のＧＳＭ基本施設の高価に付く再設計を回避する。
本発明の方法及び装置の好適実施例を添付図面に示しかつ前述の詳細な説明で説明したが、云うまでもなく、本発明は、開示した実施例に限定されるのではなく、次の請求の範囲に記載しかつ定義した本発明の精神に反することなく多数の再構成、変形、及び代替を実施することができる。
【図１】
0003982640.tif 000002
【図２】
0003982640.tif 000003
【図３】
0003982640.tif 000004
【図４】
0003982640.tif 000005
【図５】
0003982640.tif 000006
【図６】
0003982640.tif 000007